(57)【要約】  蛍光灯の代わりに使用するための、光源を含む照明アセンブリが開示される。支持部材がブラケットに装着可能であり、そのブラケットは、蛍光灯に使用されたばね式ランプホルダブラケットに嵌入することが可能である。支持部材を保持するために、オフセットブラケットが使用可能であり、または代替として、タブもしくはセットねじを有するブラケットが使用可能である。開示された照明アセンブリは、発光ダイオードからの光を供給するのに特によく適している。ライトストリップアセンブリを製造するための方法もまた、開示される。それぞれの支持部材は、ライトストリップの支持面が実質的に水平になるように、支持面上に位置決め可能である。レンズがそれぞれの光源上に形成可能である。冷蔵ケースのアプリケーションを説明する。【選択図】図１Ａ
2011508957.tif 000002
【特許請求の範囲】
【請求項１】
回路基板を支持するための両端部および表面を有する少なくとも１つの支持部材と、
少なくとも１つの光源を有し、前記少なくとも１つの支持部材の前記表面に固定される少なくとも１つの回路基板と、
前記支持部材を前記両端部によって保持するように構成され配列される複数のブラケットであって、蛍光灯アタッチメントに装着するように構成され配列される、ブラケットと
を備える照明アセンブリ。
【請求項２】
前記複数のブラケットは、蛍光ランプホルダの嵌入ブラケットによって受けられるようにそれぞれ構成され配列される１対の円筒形ブラケットと、前記円筒形ブラケットのそれぞれに装着されるように、および前記支持部材の端部を保持するようにそれぞれ構成され配列される１対のオフセットブラケットとを備える、請求項１に記載の照明アセンブリ。
【請求項３】
前記複数のブラケットは、前記支持部材の両端部を保持するように、および蛍光灯具用にあらかじめ形成された穴部と接続するようにそれぞれ構成され配列される１対のブラケットを備える、請求項１に記載の照明アセンブリ。
【請求項４】
１つのブラケットは、止めねじ用のねじ山付き接続部をさらに備える、請求項３に記載の照明アセンブリ。
【請求項５】
１つのブラケットは、タブをさらに備える、請求項３に記載の照明アセンブリ。
【請求項６】
前記タブは、蛍光灯具用にあらかじめ形成された穴部内に嵌合するように構成され配列されるだぼを備える、請求項５に記載の照明アセンブリ。
【請求項７】
前記１対のブラケットは、前記支持部材をそれぞれのブラケットに固定するように構成され配列される１つまたは複数の締結具を含む、請求項１に記載の照明アセンブリ。
【請求項８】
前記１つまたは複数の締結具は、ボルト、だぼ、またはねじを備える、請求項７に記載の照明アセンブリ。
【請求項９】
前記１対のブラケットは、ボルトを受けるためのねじ山付き接続部を備える、請求項７に記載の照明アセンブリ。
【請求項１０】
前記少なくとも１つの支持部材は、２つの支持部材を備える、請求項１に記載の照明アセンブリ。
【請求項１１】
前記２つの支持部材は、オス部分およびメス部分を含む噛合い接続部を備える、請求項１０に記載の照明アセンブリ。
【請求項１２】
前記オス部分およびメス部分は、それぞれの支持部材上にそれぞれ配設される、請求項１１に記載の照明アセンブリ。
【請求項１３】
前記少なくとも１つの支持部材は、押出し成形されたアルミニウムを含む、請求項１に記載の照明アセンブリ。
【請求項１４】
前記少なくとも１つの支持部材は、プラスチックを含む、請求項１に記載の照明アセンブリ。
【請求項１５】
前記少なくとも１つの回路基板は、ＦＲ４またはエポキシガラスラミネートを含む、請求項１に記載の照明アセンブリ。
【請求項１６】
前記少なくとも１つの光源は、１つまたは複数のＬＥＤを含む、請求項１に記載の照明アセンブリ。
【請求項１７】
前記少なくとも１つの回路基板は、１つまたは複数のＬＥＤを動作させるオンボードドライバを備える、請求項１６に記載の照明アセンブリ。
【請求項１８】
前記オンボードドライバは、所望の電流レベルで電力を供給することによって、前記１つまたは複数のＬＥＤを動作させるように構成され配列される、請求項１７に記載の照明アセンブリ。
【請求項１９】
前記電流レベルは、領域が約２５０ｍＡから約８００ｍＡにある、請求項１８に記載の照明アセンブリ。
【請求項２０】
前記電流レベルは、約３５０ｍＡである、請求項１９に記載の照明アセンブリ。
【請求項２１】
前記少なくとも１つの回路基板は、一方の端部から他方の端部に延びるＤＣバスを備える、請求項１に記載の照明アセンブリ。
【請求項２２】
前記ＤＣバスは、２４ＶのＤＣバスである、請求項２１に記載の照明アセンブリ。
【請求項２３】
前記１つまたは複数のＬＥＤは、１つまたは複数の白色発光ＬＥＤを含む、請求項１６に記載の照明アセンブリ。
【請求項２４】
前記光源から放出される光を方向付けるように構成され配列される遮断シールドをさらに備える、請求項１に記載の照明アセンブリ。
【請求項２５】
前記１つまたは複数のＬＥＤから放出される光を受けるように構成され配列される少なくとも１つのレンズをさらに備える、請求項１６に記載の照明アセンブリ。
【請求項２６】
前記少なくとも１つのレンズは、前記１つまたは複数のＬＥＤのそれぞれのアセンブリと接触するレンズを含む、請求項２５に記載の照明アセンブリ。
【請求項２７】
前記少なくとも１つのレンズは、前記１つまたは複数のＬＥＤの前記それぞれのアセンブリから離間された円筒形レンズを含む、請求項２５に記載の照明アセンブリ。
【請求項２８】
ライトストリップアセンブリを製造する方法において、
少なくとも１つの支持部材を形成するステップと、
前記少なくとも１つの支持部材上に、少なくとも１つの光源を有するプリント回路基板を配置するステップと、
前記少なくとも１つの支持部材を支持面上に位置決めするステップであって、前記プリント回路基板が実質的に水平な位置にある、ステップと、
前記光源が前記実質的に水平な位置にある間、レンズを各光源上に形成するステップと
を含む方法。
【請求項２９】
レンズを各光源上に形成するステップは、各光源上にプラスチックを含む液体を流し込むステップを含む、請求項２８に記載の方法。
【請求項３０】
少なくとも１つの支持部材を形成するステップは、第１の支持部材および第２の支持部材を互いに接続するステップを含む、請求項２８に記載の方法。
【請求項３１】
前記第１の支持部材および第２の支持部材を互いに接続するステップは、オス接合部およびメス接合部を使用するステップを含む、請求項３０に記載の方法。
【請求項３２】
オス接合部およびメス接合部を使用するステップは、前記第１の支持部材および第２の支持部材のそれぞれの中に一体化して形成された対応するオス接合部およびメス接合部を使用するステップを含む、請求項３１に記載の方法。
【請求項３３】
前記少なくとも１つの支持部材を形成するステップは、金属押出しを形成するステップを含む、請求項２８に記載の方法。
【請求項３４】
前記金属押出し成形品は、アルミニウムである、請求項３３に記載の方法。
【請求項３５】
前記少なくとも１つの支持部材を形成するステップは、プリント回路基板を所望の向きで支持するように構成され配列される前記少なくとも１つの支持部材内に支持面を形成するステップを含む、請求項２８に記載の方法。
【請求項３６】
少なくとも１つのブラケットを前記少なくとも１つの支持部材に装着するステップをさらに含み、前記ブラケットは、前記支持部材を既存の蛍光照明構造体に保持するように構成され配列される、請求項２８に記載の方法。
【請求項３７】
前記既存の蛍光照明構造体はスナップタブを備え、前記既存の蛍光照明構造体のスナップタブの中心線から前記少なくとも１つの支持部材を遠ざけるステップをさらに含む、請求項３６に記載の方法。
【請求項３８】
前記スナップタブの前記中心線から前記少なくとも１つの支持部材を遠ざけるステップは、前記スナップタブに装着された構造支持体に向けて前記少なくとも１つの支持部材を近づけるステップを含む、請求項３７に記載の方法。
【請求項３９】
前記少なくとも１つの光源は、少なくとも１つのＬＥＤを備える、請求項２８に記載の方法。
【発明の詳細な説明】
【技術分野】
【０００１】
本開示は、一般に、光源の使用に関し、より詳細には、冷蔵陳列ケースなど、蛍光照明をこれまでに使用したアプリケーションをレトロフィットする照明器および方法に関する。本開示の照明器および方法は、特に、光源として発光ダイオード（ＬＥＤ）を使用するのによく適している。
【背景技術】
【０００２】
通常、陳列ケースは、商品を陳列するために、スーパーマーケットやコンビニエンスストアの冷蔵ケースなど、小売用途に使用され、通常、品物を保持するための一連の棚陳列またはショーケース陳列に配列される。
【０００３】
一般に、このような陳列ケースは、蛍光灯具によって照明される。蛍光灯自体は、白熱照明を超えたいくつかの便益をもたらすが、固有の電力およびメンテナンスの要求、ならびに関連費用を有する。蛍光灯はまた、重大な環境問題や費用をもたらす水銀を含有する。
【０００４】
現在、いくつかの技術が、蛍光灯の代わりに代替の照明源を設置するために使用されている。このような技術には、一般に、ドリルで穴を開けることによってなど、蛍光灯具に隣接する構造支持体を同時に変更する必要がある。冷蔵された食品および飲料の陳列を含む用途では、このような技術は、不必要な無駄の冷却エネルギー、余分な仕事、および冷蔵された品自体を腐敗させる可能性、ならびにそれぞれに関連する費用へとつながりかねない。
【発明の概要】
【発明が解決しようとする課題】
【０００５】
そのため、現在不足しているものは、例えば陳列またはケースの置換えおよび設置の費用、ならびに休止時間を最小限にするこれまでの蛍光照明アセンブリに対するレトロフィットなど、冷蔵ケースを含めて、特に小売商品の陳列およびケース用の蛍光照明と比較して、電力、設置、およびメンテナンスの費用が抑えられた照明を提供する照明システムおよび設置技術である。
【課題を解決するための手段】
【０００６】
本開示は、代替の光源が蛍光灯の代わりに使用され、これまでの蛍光照明アプリケーションに対して、迅速かつ簡単なレトロフィットを容易にすることが可能なライトストリップまたは照明器を含む照明構造体と、方法とを対象とする。開示する技術およびシステム（構成要素および構造体を含む）は、光源として１つまたは複数のＬＥＤを使用する場合に特に有用であり得る。
【０００７】
本開示の態様は、支持体に取り付けられた１つまたは複数の光源を有するストリップを使用する光源アセンブリを包含する。支持体は、相補的な支持部材の噛合う対など、複数の支持部材を備えることが可能である。支持体は、１つまたは複数のブラケットに装着可能であり、そのブラケットは、すでに設置済みの蛍光灯具または取付けアセンブリと嵌合するように、またはそれに接続するように構成され、配列される。例えば、ブラケットは、すでに設置済みの蛍光灯アセンブリのばね式ランプホルダのスナップブラケットに嵌入することが可能である。１つまたは複数のオフセットブラケットを使用し、例えば、既存のスナップブラケットの中心線との位置がずれている所望の場所に、支持体および光源（複数可）を移動させて、支持部材および／または光源が直接見える度合いを減らすことが可能である。あるいは、支持体は、蛍光ランプホルダからの既存するものなどの穴に滑り込むように使用されるタブおよび／またはセットねじとともに実装されるブラケットによって保持可能である。
【０００８】
本開示の別の態様は、ＬＥＤライトストリップアセンブリまたはその一部分を製造するための関連方法を包含する。このような製造方法では、ＬＥＤのライトストリップが、１つまたは複数の支持部材に固定可能である。それぞれの支持部材は、それぞれのＬＥＤライトストリップが実質的に水平の位置にあるように、支持面上に位置決め可能である。回路基板が実質的な水平位置にある間、レンズがそれぞれのＬＥＤ上に、または回路基板全体に沿って形成する（例えば、流し込む）ことができ、特定のアプリケーション向けの専用レンズを容易にし、かつ／または保管中、および従来の製造工程中の潜在的なレンズ損傷をなくす。このような製造の一部分は、アセンブリラインまたはコンベヤーベルト上で行われることが可能であるか、または実装可能である。支持部材は、支持部材の噛合う対でできていることが可能である。例示的な実施形態においては、対のそれぞれの部材は、一体化して形成されるオスまたはメス接続部を含むことが可能である。
【０００９】
本開示の他の態様、実施形態および詳細は、添付の図面とともに読むと、以下の説明から明らかになるであろう。
本開示の態様および実施形態は、添付の図面とともに読むと以下の説明からより完全に理解され得、それらは、本質的に例示的なものとみなすべきであり、限定的なものとみなすべきではない。図面は、必ずしも原寸通りではなく、本開示の原理に重点が置かれる。
【図面の簡単な説明】
【００１０】
【図１Ａ】本開示による、照明を有する冷蔵陳列ケースの実施形態の概略正面透視図である。
【図１Ｂ】図１Ａの陳列ケースの上面図である。
【図２】陳列ケースの中央中方立てにブラケットアセンブリによって装着されたライトストリップを含む図１Ｂの一部分のクローズアップ透視図である。
【図３Ａ】図２のブラケットアセンブリの概略端面図である。
【図３Ｂ】端板が取り外された図３Ａの図である。
【図４】図１Ａの陳列ケースの隅に取り付けられ、本開示の例示的な実施形態による遮断シールドを使用するライトストリップの概略透視図である。
【図５Ａ】本開示の代替の実施形態によるレトロフィットアプリケーションのためのタブおよびセットねじを含むブラケットにより取り付けられたライトストリップの概略図である。
【図５Ｂ】本開示の代替の実施形態によるレトロフィットアプリケーションのためのタブおよびセットねじを含むブラケットにより取り付けられたライトストリップの概略図である。
【図５Ｃ】図５Ａおよび５Ｂについて示し、説明したブラケットのクローズアップ透視図である。
【図５Ｄ】図５Ａおよび５Ｂについて示し、説明したブラケットのクローズアップ透視図である。
【図５Ｅ】図５Ａおよび５Ｂについて示し、説明したブラケットのクローズアップ透視図である。
【図５Ｆ】図５Ａおよび５Ｂについて示し、説明したブラケットのクローズアップ透視図である。
【図５Ｇ】図５Ａ〜５Ｆに示す実施形態が、それに対するレトロフィット装置として使用可能な既存の蛍光ランプホルダの写真である。
【図６Ａ】本開示のさらなる実施形態によるライトストリップアセンブリを製造するアセンブリライン工程の透視図である。
【図６Ｂ】本開示のさらなる実施形態によるライトストリップアセンブリを製造するアセンブリライン工程の側面図である。
【図７】本開示の例示的な実施形態による方法についての流れ図である。
【図８】本開示の照明器とともに使用される代替の光源レンズの断面図である。
【発明を実施するための形態】
【００１１】
いくつかの実施形態を図面に示すが、当業者は、示される実施形態が例示的であり、図示されるそれらの、ならびに本明細書に説明される他の実施形態の変形形態は、本開示の範囲内で想定および実施可能であることを認識するであろう。
【００１２】
本開示の態様および実施形態は、代替の光源（例示の実施形態においてはＬＥＤ）が蛍光灯の代わりに、またはそれを置き換えて使用される照明器および方法を提供する。好ましい実施形態は、ＬＥＤ光源を採用するが、他の光源もまた本開示の範囲内で採用あるいは使用可能である。ほんの一例として、プラズマ光源などの他の光源も使用可能である。さらには、用語「ＬＥＤ」は、有機発光ダイオードすなわち「ＯＬＥＤ」を含むすべてのタイプの発光ダイオードを示すことが意図されている。本開示によるこのような照明は、蛍光照明を使用する現存照明のアセンブリおよびアプリケーションをレトロフィットするために使用可能である。このような照明技術の使用は、既存技術と比較すると、エネルギーおよびメンテナンスの削減、ならびに設置時間および費用の削減を図ることが可能である。
【００１３】
本開示の実施形態は、一般に、ほとんどの蛍光灯アプリケーションのレトロフィットに適用可能であるが、スーパーマーケットおよびコンビニエンスストアに通常見られるものなどの冷蔵食品ケースのレトロフィットのアプリケーションに、特によく適していることが可能である。このような冷蔵ケースは、チルド食品および／または飲料、ならびに冷凍食品を陳列するために使用されるもののためのケースを含むことが可能である。
【００１４】
図１Ａは、光を放出するＬＥＤを採用する本開示による冷蔵陳列ケースのための照明の実施形態１００の概略正面透視図を示す。
図１Ａに見られるように、冷蔵ケース１０２は、側面部材１０８、１１０によって分離された上面フレーム部材１０４、および底面フレーム部材１０６を含むことが可能である。ケース１０２は、ガラス、透明プラスチックなどを使用することによってなど、透明な、または半透明な部分を有する扉１１２（１）〜１１２（４）など、複数の扉を含むことが可能である。扉１１２（１）〜１１２（４）は、上面部材１０４と底面部材１０６との間に位置決めされた中方立て１１４（１）〜１１４（３）によって分離可能である。いくつかの棚が、図示するように、扉１１２（１）〜１１２（４）の後方に配置された棚状スタック１１６（１）〜１１６（４）など、ケース１０２内に配置可能である。
【００１５】
図１Ｂは、図１Ａの実施形態１００の上面図を示す。コーナーライトストリップ１１８（１）、１１８（２）は、上面部材１０４と、側面部材１０８および１１０のそれぞれとの連結部に隣接してケース１０２の庫内に配置される。中央ライトストリップ１２０（１）〜１２０（３）は、中方立て１１４（１）〜１１４（３）に隣接して、ケース１０２の庫内上に配置される。スタック棚、例えば、１１６（１）〜１１６（４）の水平範囲は、図１Ｂに見ることができる。
【００１６】
図２は、ケース１０２の庫内、すなわち、一般の人に提供される歩行範囲から遠ざけられたケースの冷蔵範囲の中央中方立て１１４（１）に、円筒形ブラケット１３０（１）、１３０（２）、およびオフセット部材１３２（１）、１３２（２）を含むブラケットアセンブリによって装着されたライトストリップ１２０（１）を含む図１Ｂの一部分のクローズアップ透視図を示す。中央中方立て１１４（１）は、図示するように、扉１１２（２）に隣接して、上面ケース部材１０４と底面ケース部材１０６とを接続する。棚状スタック１１６（１）および１１６（２）もまた、図示される。
【００１７】
ライトストリップ１２０（１）は、ブラケットアセンブリ１３０（１）、１３０（２）、１３２（１）、および１３２（２）によって、スナップブラケット１２８に対して保持される両端部を有する支持部材１２２を含む。ＬＥＤなどの回路駆動の光源を使用する実施形態においては、支持部材１２２は、その表面に取り付けられた任意のサイズの１つまたは複数のプリント回路基板１２４を有することが可能である。３つのプリント回路基板１２４のインライン構成を図２に示す。１つまたは複数のプリント回路基板（「ＰＣＢ」）１２４の同じ構成または別の構成が、支持部材１２２のもう一方の側に存在することが可能になる（このような図面の透視図法により、隠れていることになる）。それぞれのＰＣＢ１２４は、複数の光源１２６（１）を含むことが可能である。
【００１８】
ブラケットアセンブリは、１対の円筒形ブラケット１３０（１）、１３０（２）、および１対のオフセット部材またはブラケット１３２（１）、１３２（２）を含むことが可能である。それぞれの円筒形ブラケットは、通常、蛍光灯バルブの保持に使用される構成であることが可能なスナップブラケット１２８内に嵌合するように構成可能である。適切な締結具（例えば、ねじ、ボルト、圧力嵌合だぼ（press-fit dowel）など）１３４および１３８が、支持部材および／または円筒形ブラケット１３０（１）、１３０（２）の間の接続に使用可能である。
【００１９】
図２は、既存の蛍光灯具からのものなど、支持部材１２２の端部をスナップブラケット１２８内に保持する円筒形ブラケット１３０と、オフセット部材１３２とを示す。したがって、本開示によるライトストリップまたは照明器を有する蛍光灯具の迅速なレトロフィットは、単に、既存の蛍光灯バルブをスナップブラケット１２８から取り外し、ライトストリップまたは照明器を差し込むことによって容易になる。蛍光システムからの既存の配線の１つまたは複数の部分は、本開示の実施形態とともに使用可能である。蛍光システムをＬＥＤベースのシステムによりレトロフィットする場合、当業者には理解されるように、回路およびシステムの要求に応じて、選択された光源に所要のように、または望ましいように、電源を取り換え、またはその他の形で電力を調整することが望ましいか、または必要である場合がある。
【００２０】
例示的な実施形態においては、ＰＣＢ１２４は、プリント回路基板材料としてＦＲ４を含むことが可能である。他のエポキシガラスラミネートも使用可能である。はんだパッドが、ワイヤを装着するために、それぞれのＰＣＢ１２４のそれぞれの端部上に存在することが可能である。
【００２１】
ＬＥＤが光源として採用される例示的な実施形態においては、ＬＥＤのアセンブリ（例えば、好ましくはＬＥＤのストリップ）は、ＬＥＤのための電力／制御回路を含み、それぞれのＬＥＤ、およびアセンブリの他の構成要素が、その上にまたはその中に、創出または配設可能である１つまたは複数の基板を備えることが可能であるような１つまたは複数のライトボードと、ＬＥＤなどそれ自体と、ＬＥＤから放出される光の少なくとも一部分を方向付けるための（レンズもしくは他の屈折要素、または反射体などの）関連光学要素とともに使用可能である。ＬＥＤアセンブリは、１つまたは複数のＬＥＤと、１つまたは複数の光学部（または光学要素）とをボードに保持することが可能であり、ＬＥＤに対する１つまたは複数の光学部の位置決めを明らかにすることが可能である。光学部は、ＬＥＤのそれぞれの上にそれぞれ位置決め可能であり、単一の光学要素、例えば単一の円筒形レンズまたは注型プラスチックレンズなどは、１つまたは複数のＬＥＤとともに使用するために位置決め可能である。ＬＥＤと、光学部をプリント回路基板上のＬＥＤに対して所定の位置に保持する光学トレイとの適切な例は、米国特許出願公開第２００６／１４６５３１号、および米国特許仮出願第６０／９８１，９８４号に記載されており、その双方の出願の全体的な内容を参照によって本明細書に組み込む。
【００２２】
この例示的な実施形態のＬＥＤは、好ましくは、可視スペクトルで、任意の種類、カラー（例えば、意図された照明構成が要求する任意のカラーもしくは白色光、またはカラーと白色光との混合を放出する）、および輝度容量または強度であることが可能である。カラー選択は、意図された照明構成が要求するように行われることが可能である。本開示により、ＬＥＤは、意図された配列のカラーまたは複数のカラーを生成する任意の半導体構成および材料または組合せ（合金）を含むことが可能である。ＬＥＤは、ＬＥＤとともに組み込まれるか、ＬＥＤの上に配置される屈折光学部、または非屈折光学部を有することが可能であり、代替として、あるいはまた、例えば、低角度および中間角度のＬＥＤ光を外向きに方向付けし直す周辺反射体も有することが可能である。１つの適切な実施形態においては、ＬＥＤは、１つまたは複数の蛍光体を含むコーティングに結合された窒化ガリウム（ＧａＮ）ベースの発光半導体素子をそれぞれが含む白色ＬＥＤである。ＧａＮベースの半導体素子は、青色および／または紫外線の範囲で光を放出することが可能であり、蛍光コーティングを励起して、より長い波長光を生成する。組み合わせられた光出力は、白色光出力に近づくことが可能である。例えば、青色光を生成するＧａＮベースの半導体素子を黄色蛍光体と組み合わせて、白色光を生成することが可能である。あるいは、紫外線光を生成するＧａＮベースの半導体素子は、白色光（または他の所望のカラー）を生成する比率および構成で、赤色、緑色、および青色の蛍光体と組合せ可能である。さらなる別の適切な実施形態においては、カラーＬＥＤが使用され、それにより、リン化物ベースの半導体素子が赤色または緑色の光を放出し、その場合、ＬＥＤアセンブリは、対応するカラーの光を生成する。さらなる別の適切な実施形態においては、ＬＥＤライトボードは、選択されたパターンで、プリント回路基板上に分布された赤色、緑色、および青色のＬＥＤを含み、赤−緑−青（ＲＧＢ）のカラー合成構成を使用して、選択されたカラーの光を生成する。この後者の例示的な実施形態においては、ＬＥＤライトボードは、選択された光学的強度において、赤色、緑色、および青色のＬＥＤの選択的な動作によって選択可能なカラーを放出するように構成可能である。別の種類およびカラーのＬＥＤの集合体もまた、それらの出力を混合する便益を得るように企図される。
【００２３】
それぞれのＰＣＢ１２４は、所望の電流により、光源、例えばＬＥＤを動作させるオンボードドライバを含むことが可能である。例えば、ＬＥＤに適している電流が使用可能である。例えば、代表的な電流領域は、約２５０ｍＡから約８００ｍＡを含むことが可能になるが、それに限定されず、１つの例示的な電流は、約３５０ｍＡである。回路基板１２４は、一方の端部から他方の端部に延びるバス、例えば２４ＶのＤＣバスを有することが可能である。もちろん、他の電圧もバスに使用可能である。任意の適切な数の適切なＬＥＤ１２６は、ライトストリップボード上に配設可能である。１つの例示的な例においては、８０ルーメン最小で動作する５つのＲｅｂｅｌ  ＬＥＤ（Ｐｈｉｌｉｐｓ  Ｌｕｍｉｌｅｄｓ  Ｌｉｇｈｔｉｎｇ  Ｃｏｍｐａｎｙによって市販されているＬＵＸＥＯＮ（登録商標）Ｒｅｂｅｌ  ＬＥＤ）が、本開示の照明器とともに採用可能である。他の適切なＬＥＤまたは代替の光源および出力値も、本開示の範囲内で使用可能である。
【００２４】
次に、図３Ａを参照すると、オフセット部材１３２（１）とともに構成された円筒形ブラケット１３０（１）を含む図２のブラケットアセンブリの概略端面図が示される。円筒形ブラケット１３０（１）は、オフセット部材１３２（１）との接続をもたらすことが可能な１つまたは複数の突起部または補強リブ１３６を含むことが可能である。ブラケットは、任意の適切な機械的接続部１３４、例えば、Ｖｅｌｃｒｏ（登録商標）、ねじ、圧力嵌合だぼ、またはリベットなどによって、機械的に固定可能である。円筒形ブラケット１３０（１）は、任意選択で、配線がそれを通って延びることが可能な１つまたは複数の開口または穴部１４０を含むことが可能である。締結具（例えば、ボルト、またはねじ）１３８は、オフセット部材１３２（１）を隣接支持部材１２２に装着するために存在することが可能である。図２について前述したように、円筒形ブラケット１３０（１）は、蛍光バルブを保持するために使用された標準スナップブラケット１２８内で嵌合するように構成可能である。中心線１６０は、このような対応するスナップブラケット１２８の中心線を示す。
【００２５】
図３Ｂは、円筒形ブラケット１３０（１）と、支持部材１２２と、回路基板１２４との間の関係を示すために、オフセット部材１３２（１）が取り除かれた図３Ａの図を示す。円筒形ブラケット１３０（１）は、図２のスナップブラケット１２８を含む既存の蛍光照明アセンブリに対するレトロフィットアプリケーションのための構成になるように、支持部材１２２と、回路基板１２４と、ＬＥＤ１２６とに対して示される。締結具１３４の頭部の輪郭線は、突起部１３６と関連して示される。既存のランプホルダ（またはスナップ）ブラケットを示す代表的な中心線１６０もなお示される。
【００２６】
図３Ｂに示すように、支持部材１２２の例示的な実施形態は、一緒に嵌合する相補的な構成の２つの支持部材１２２Ａ〜１２２Ｂを含むことが可能である。例えば、図示の実施形態は、接続を容易にする例示的なオス−メスの噛合う構成１５０を含む。図示するように、支持部材１２２Ａ、１２２Ｂのオス−メス要素は、支持部材それ自体の中に一体化して形成可能であるが、必ずしもである必要はない。
【００２７】
例示的な実施形態においては（例えば、図３Ａ〜３Ｂについて示すように）、オフセット部材１３２（１）、１３２（２）は、支持部材１２２と、装着された光源（複数可）１２６とが、受入れスナップブラケット１２８の中心線（図３Ａの１６０）から離れて位置決めされることを可能にするように構成可能である。このような構成は、ＬＥＤを所望の場所で、例えば、中央中方立てにより近づいて、または冷却器の構造支持部材に隣接して位置決めされることを可能にすることができる。したがって、支持部材１２２Ａ、１２２Ｂおよび光源１２６が、陳列ケースの外側の人々の目に触れることは抑制されるか、または全く解消されることが可能であり、従来技術の蛍光照明を超えた利点を示す。照明器を視界から外すことが必要でないか、またはそれがその他の形で、照明器が取り付けられる構造体に対するその照明器の場所によって容易になる場合、オフセット部材１３２（１）、１３２（２）は、支持部材１２２Ａ、１２２Ｂを中心線１６０上に、またはそれに関連したいずれの場所にも配置することが可能である。用語「オフセット部材」における単語「オフセット」は、単に、示された例示的な実施形態を示しており、支持体が中心線１６０からオフセットされる必要があるかについて限定されることは意図していない。例えば、支持部材１２２Ａ〜１２２Ｂの一部分は、いくつかの実施形態については中心線１６０に重なることが可能である。
【００２８】
例示的な実施形態においては、支持部材１２２Ａ、１２２Ｂは、知られている押出し技術により構成される６０６３Ｔ５アルミニウム合金の押出しによって作られることが可能である。例示的な実施形態においては、円筒形ブラケット１３０（１）は、６０６３Ｔ５アルミニウム合金でできていることが可能である。さらには、例示的な実施形態においては、オフセット部材１３２は、（例えば、厚さが０．０５０インチ（０．１２７ｃｍ）の）１枚のアルミニウム合金などの適切な金属で形成可能である。他の適切な材料、例えばプラスチックも、支持部材、ブラケットおよび／または部材について前述したものに加えて、またはそれらの代用として使用可能である。
【００２９】
次に、図４を参照すると、本開示によるライトストリップ４００の例示的な実施形態の概略透視図が示される。ライトストリップ４００は、棚４１６を有する冷蔵ケース４０２の内側のコーナー構成で位置決めされる。ライトストリップ４００は、ケース４０２の陳列範囲上に所望の量の光を放つために必要ないくつかの光源４２６を含む回路基板４２４を保持する支持部材４２２を含むことが可能である。
【００３０】
図１〜図３に示す実施形態と同様に、円筒形ブラケット４３０（１）〜４３０（２）、およびオフセット部材４３２（１）〜（２）は、例えば、既存の蛍光照明具とともに使用された可能性のあるなどのスナップブラケット４２８に対して固定される支持部材４２２を保持するために使用可能である。
【００３１】
また、光源の光出力を制御し、光源また支持部材４２２Ａ、４２２Ｂが、ケース４０２の外側の顧客の目に直接触れることを防ぐために、存在することが可能なオプションの視覚遮断シールド４５０が図４に示される。オプションの視覚遮断シールド４５０は、光源から放出される光の方向付けに役立つように、反射性であることが可能であるが、必ずしも反射性でなくてもよい。任意の適切な材料が遮断シールド４５０に使用可能である。例えば、例示的な実施形態においては、光沢仕上げにより、すべて黒く塗装された厚さが３０ミルまたは４０ミル（０．０３０インチ（０．０７６２ｃｍ）または０．０４０インチ（０．１０１６ｃｍ））であるアルミニウムシート金属が、シールド４５０に使用可能である。もちろん、他の材料および仕上げも本開示の範囲内で使用可能である。加えて、反射性材料は、光をケース内に反射するために、隣接する中方立て１１４上に、またはその中方立てに隣接して配置可能である。あるいは、レトロフィットアプリケーションでは、反射性材料は、既存の蛍光バルブからの光を方向付けし直すために、すでに中方立て上に存在してもよい。
【００３２】
図５Ａ〜５Ｂは、ブラケットおよびセットねじとともに使用されるライトストリップを含む、本開示による代替の実施形態５００の概略図を示す。図５Ａを参照すると、支持部材５２２は、ＬＥＤまたは他の光源５２６を有するプリント回路基板５２４を支持するために使用可能である。基板５２４は、中方立て５２０に対して所望の配向で支持可能である。図１〜図４に示す実施形態によるように、板状ブラケットに結合される円筒形ブラケットの代わりに、実施形態５００は、光ストリップ支持部材５２２を中方立て５２０に保持するために、セットねじ５３４とともに使用される板状ブラケット５３０を含む。
【００３３】
ブラケット５３０は、図示の中方立て５２０内の穴部５３６の中を通るように構成されたタブ５３８を含むことが可能である。締結具（例えば、ボルト）５３２が、ブラケット５３０をライトストリップ支持部材５２２に接続するために使用可能である。セットねじ５３４は、中方立て５２０と支持部材５２２との接続部を固定するために使用可能である。穴部（複数可）５３６は、既存の蛍光照明具用にすでに形成されていた既存の穴部であってよい。
【００３４】
図５Ｂは、中方立て５２０に対して位置決めされた図５Ａに示す支持部材５２２のもう一方の端部を示す。ブラケット５３０は、タブ５３８を含むことが可能であり、ライトストリップ支持部材５２２を中方立て５２０に固定するために、締結具５３２とともに使用可能である。だぼ、またはピンが、任意選択で、中方立て５２０内の穴部５３６を貫通して延在するタブ５３８とともに含まれてもよい。セットねじは、必要でない。
【００３５】
図５Ｃ〜５Ｆは、図５Ａ〜５Ｂについて示し、説明したブラケットのクローズアップ透視図を示す。図５Ｃにおいては、ブラケット５３０は、セットねじ５３４とともに示される。ブラケット５３０は、ＬＥＤ５２６を有するプリント回路基板５２４を支持する支持部材５２２に固定される。ブラケット５３０は、セットねじ５３４を受けるように、ねじ山付き部分５３３とともに構成可能なタブ部分５３１を含む。図５Ｄは、図５Ｃに示したブラケット５３０の透視図を示す。
【００３６】
図５Ｅにおいては、ＬＥＤ５２６を有するＰＣＢ５２４を支持する支持部材５２２に固定されたブラケット５３０が示される。ブラケット５３０は、例えば、図５Ｇに示すように、蛍光ランプホルダ用にすでに設置済みの穴部とインターフェース、または接続するように構成可能なタブ部分５３８を含む。図５Ｅのブラケット５３０の透視図は、図５Ｆに示す。
【００３７】
図５Ｇは、従来技術の既存の蛍光ランプホルダ５４０の写真であり、図５Ａ〜５Ｆに示す実施形態が、それに対するレトロフィット装置として使用可能になる。ランプホルダ５４０は、（上面および底面の両方を）取り除かれることになり、例えば、図５Ａ〜５Ｆに示すように、セットねじ設計の設置を可能にする。
【００３８】
図６Ａ〜６Ｂは、本開示のさらなる実施形態による、レンズとともに支持部材６２２上に取り付けられるＬＥＤなどの光源を設けるためのアセンブリライン製造工程６００の透視概略図および側面概略図をそれぞれ示す。図示するように、１つまたは複数の支持部材６２２Ａ〜６２２Ｂは、ＬＥＤなど、光源６２６を有する回路基板６２４が水平位置に、または実質的な水平位置に保持されるような形で、支持面６５０上に配置可能である。支持部材６２２Ａ〜６２２Ｂは、端板６３０Ａ〜６３０Ｂをそれぞれ有することが可能である。支持面６５０は、例示的な実施形態においては、アセンブリラインまたはコンベヤーベルトの一部であってよい。
【００３９】
回路基板６２４が実質的な水平位置にある場合、レンズが、それぞれの光源６２６（または１つもしくは複数の光源）上に形成可能である。例えば、プラスチックレンズが、適切に着色された、または透明なプラスチックを有するプラスチック含有の液体をそれぞれの光源６２６の上に流し込むことによって形成可能であり、次いで、プラスチックが冷却もしくは硬化することを可能にする（またはその他の形で、プラスチックを硬化させる）。このようなやり方で、所望の形状のレンズがそれぞれの光源の上に形成可能である。特定の実施形態においては、以下のＬｏｒｄ  Ｃｏｒｐｏｒａｔｉｏｎ  Ｕｒｅｔｈａｎｅのモデル７５５０、またはＭｏｍｅｎｔｉｖｅ（以前は、ＧＥ）のシリコンモデルＴＳＥ３９７、ＴＳＥ３９７またはＲＴＶ６１５を含むレンズ材料が使用可能である。
【００４０】
支持部材の構成が回路基板を水平に配向し易くするだけでない場合、支持部材は、水平配向を容易にするために、１つまたは複数の関連ベースまたは支持体上に配置可能である。図６Ａ〜６Ｂの図示の実施形態においては、支持部材が水平面上に配置される場合、支持部材６２２Ａ、６２２Ｂの特有の形状は、関連回路基板の水平配向または実質的な水平配向を必ずしももたらさなくてもよい。したがって、それぞれの支持部材６２２Ａ、６２２Ｂは、レンズ固定のために水平に回路基板（複数可）を配向する形で支持部材６２２Ａ、６２２Ｂを受け入れるように、対応する構成を有するベース（例えば、図６Ｂにおけるトレイ６４０Ａ、６４０Ｂ）上に配置可能である。ある実施形態においては、例えばベース６４０Ａのこのようなベースは、粉砕プラスチック、木材などを含むが、それらに限定されない適切な材料から構成可能である。他のベース／プラットフォーム、およびこれを構成する他のやり方も、当業者には明らかになるであろう。
【００４１】
図７を参照すると、本開示の例示的な実施形態により、製造／構成方法７００についての流れ図が示される。方法７００では、７０２で説明するように、照明アセンブリのための少なくとも１つの支持部材が形成可能である。例示的な実施形態においては、２つの支持部材は、押出しアルミニウムで形成可能であり、これらの部材は、任意選択で、一体化して形成されるオス−メス接続部を含んでよいが、他の適切な接続部も本開示の範囲内で企図される。７０４で説明するように、複数の光源を有するプリント回路基板が、それぞれの支持部材に固定可能である。それぞれの支持部材は、７０６で説明するように、実質的な水平位置に位置決め可能である。例示的な実施形態においては、支持部材（複数可）は、アセンブリラインまたはコンベヤーベルト上に水平位置に配置可能である。次いで、７０８で説明するように、それぞれの光源および回路基板が実質的な水平位置にある間、レンズがそれぞれの光源上に形成可能である。例示的な実施形態においては、所望の透明性および／または色のプラスチックを有するプラスチック含有の液体が、当業者には知られている標準的な技術により、レンズを硬化および形成するために、それぞれの光源上に流し込むことができる。
【００４２】
図８は、本開示によるライトストリップまたは照明器に使用される代替のレンズの実施形態８００の断面図を示す。プリント回路基板８０２が、前述の実施形態と同様に、１つまたは複数のＬＥＤ８０４を支持することが可能である。個々のＬＥＤまたはＬＥＤアセンブリの上に形成されるレンズの代わりに、プラスチックレンズ８０６、例えば形状が半円筒形であるものが、図示の回路基板８０２およびＬＥＤ８０４の周りに構成可能である。基板８０２と、ＬＥＤ８０４と、レンズ８０６とのアセンブリは、例えば、ねじ（図示せず）と、ねじポケット８１０とによってブラケットに取付け可能であり、本開示の前述の実施形態と同様に、従来の蛍光照明アプリケーションへのレトロフィットに使用可能である。
【００４３】
図８の説明を続けると、基板８０２が、レンズ８０６内の１つまたは複数の溝部８０８によって受けられることが可能である。例示的な実施形態においては、熱除去材料８１２が、熱の除去のため、すなわち、ＬＥＤ８０４によって生成される熱の消散のために、図示の基板８０２に隣接して配置可能である。材料８１２は、所望のように選択可能であり、材料の選択は、熱除去／熱伝導の特性に基づくことが可能である。例示的な実施形態においては、埋込み用樹脂が材料８１２に使用可能である。
【００４４】
例示的な実施形態においては、レンズ８０６は、ポリカーボネートの押出しでできている。このようなポリカーボネートまたは他のプラスチックは、所望のように選択可能であり、所望の透明度（そのため、不透明度）を持つことが可能であり、所望の色を有することが可能である。
【００４５】
さらなる実施形態においては、少なくとも１つの支持部材の形成は、例えば、関連アセンブリがレトロフィットアプリケーション内に配置される場合のように、回路基板（および装着された光源）を所望の配向で支持するように構成され、配置される回路基板支持面を支持部材内に形成することを含むことが可能である。視覚遮断シールドがまた、いくつかのアプリケーションについて、支持部材に取付け可能である。
【００４６】
したがって、本開示による照明技術の実施形態は、蛍光照明を使用するように最初に構成された現存照明のアセンブリおよびアプリケーションをレトロフィットするために使用可能である。本開示によるこのような照明は、現存技術と比較すると、エネルギー、メンテナンス、および設置費用の削減、ならびに設置時間の削減を図ることが可能である。前述のように、本開示の例示的な実施形態は、光源としてＬＥＤを使用することが可能である。
【００４７】
いくつかの実施形態を本明細書に説明してきたが、当業者には、本開示の方法、システム、および装置が、その趣旨から逸脱せずに他の具体的な形態で実施可能であることは理解されるであろう。例えば、本明細書における態様および実施形態は、冷蔵陳列ケースについてのレトロフィットアプリケーションの文脈において説明してきたが、本開示は、この種に限定されず、例えば、本開示の実施形態は、一般に、既存の蛍光照明構造体および蛍光照明具に対するいずれのレトロフィットアプリケーションにも使用可能である。
【００４８】
したがって、本明細書に説明し、添付の特許請求の範囲において権利を主張される実施形態は、本開示の例示的なものとしてすべての点で考慮すべきであり、制限的なものとして考慮すべきものではない。
【図１Ａ】
2011508957.tif 000003
【図１Ｂ】
2011508957.tif 000004
【図２】
2011508957.tif 000005
【図３Ａ】
2011508957.tif 000006
【図３Ｂ】
2011508957.tif 000007
【図４】
2011508957.tif 000008
【図５Ａ】
2011508957.tif 000009
【図５Ｂ】
2011508957.tif 000010
【図５Ｃ】
2011508957.tif 000011
【図５Ｄ】
2011508957.tif 000012
【図５Ｅ】
2011508957.tif 000013
【図５Ｆ】
2011508957.tif 000014
【図５Ｇ】
2011508957.tif 000015
【図６Ａ】
2011508957.tif 000016
【図６Ｂ】
2011508957.tif 000017
【図７】
2011508957.tif 000018
【図８】
2011508957.tif 000019
【国際調査報告】
2011508957.tif 000020